(57)【要約】【課題】一時保留庫に集積した硬貨を全て、移動先の集積庫に落下させる手段を提供する。【解決手段】硬貨処理装置が、投入された硬貨を１枚毎に送出する送出部と、前記送出部から送出された硬貨を鑑別する鑑別部と、前記鑑別部で鑑別された硬貨を集積する第１および第２の集積庫と、前記鑑別部と、前記第１および第２の集積庫との間に設けられ、前記第１または第２の集積庫へ集積する硬貨を一時保留すると共に、前記第１の集積庫上および前記第２の集積庫上に移動可能に構成された一時保留庫と、前記一時保留庫の硬貨を前記第１または第２の集積庫に落下させるときに、前記一時保留庫を当接させる当接部と、を備える。【選択図】        図３
2017204111.tif 000002
【特許請求の範囲】
【請求項１】
投入された硬貨を１枚毎に送出する送出部と、
前記送出部から送出された硬貨を鑑別する鑑別部と、
前記鑑別部で鑑別された硬貨を集積する第１および第２の集積庫と、
前記鑑別部と、前記第１および第２の集積庫との間に設けられ、前記第１または第２の集積庫へ集積する硬貨を一時保留すると共に、前記第１の集積庫上および前記第２の集積庫上に移動可能に構成された一時保留庫と、
前記一時保留庫の硬貨を前記第１または第２の集積庫に落下させるときに、前記一時保留庫を当接させる当接部と、を備えたことを特徴とする硬貨処理装置。
【請求項２】
請求項１に記載の硬貨処理装置において、
前記一時保留庫は、前記第１の集積庫と前記第２の集積庫との間に待機していることを特徴とする硬貨処理装置。
【請求項３】
請求項１または請求項２に記載の硬貨処理装置において、
前記一時保留庫の底面を構成するガイド板を設けると共に、前記ガイド板の前記第１および第２の集積庫上にそれぞれ開口部を設け、
前記一時保留庫を、前記第１または第２の集積庫に落下させるときは、前記一時保留庫の底面開口が全開となった後に、前記一時保留庫を前記当接部に当接させることを特徴とする硬貨処理装置。
【請求項４】
請求項１に記載の硬貨処理装置において、
前記一時保留庫は、前記第１の集積庫または前記第２の集積庫上に待機していることを特徴とする硬貨処理装置。
【請求項５】
請求項１または請求項４に記載の硬貨処理装置において、
前記一時保留庫の底面を構成するシャッタを設け、
前記一時保留庫を、前記第１または第２の集積庫に落下させるときは、前記一時保留庫の底面開口を前記シャッタにより全開とした後に、前記一時保留庫を前記当接部に当接させることを特徴とする硬貨処理装置。
【請求項６】
投入された硬貨を１枚毎に送出する送出部と、
前記送出部から送出された硬貨を鑑別する鑑別部と、
前記鑑別部で鑑別された硬貨を集積する集積庫と、
前記鑑別部と、前記集積庫との間に設けられ、前記集積庫へ集積する硬貨を一時保留すると共に、往復移動可能に構成された一時保留庫と、
前記一時保留庫の硬貨を前記集積庫に落下させるときに、前記一時保留庫を当接させる当接部と、を備えたことを特徴とする硬貨処理装置。
【請求項７】
請求項６に記載の硬貨処理装置において、
前記一時保留庫の底面を構成するシャッタを設けたことを特徴とする硬貨処理装置。
【請求項８】
請求項１ないし請求項７のいずれか一項に記載の硬貨処理装置において、
前記一時保留庫の移動方向の両側部に、それぞれ突起を設けたことを特徴とする硬貨処理装置。
【請求項９】
請求項８に記載の硬貨処理装置において、
前記突起の移動方向の前方に、前記突起を当接させる前記当接部を配置したことを特徴とする硬貨処理装置。
【請求項１０】
請求項１ないし請求項７のいずれか一項に記載の硬貨処理装置において、
前記一時保留庫の移動方向の前方に、それぞれ突起を設けた前記当接部を配置したことを特徴とする硬貨処理装置。
【発明の詳細な説明】
【技術分野】
【０００１】
本発明は、硬貨の入出金を行う硬貨入出金機等の硬貨処理装置に関する。
【背景技術】
【０００２】
従来の硬貨処理装置は、硬貨投入部に一括投入され、送出部から１枚毎に繰出された硬貨を鑑別部に搬送し、鑑別部での鑑別結果に応じて硬貨を金種別に一時保留庫のガイド板上に集積して一時保留し、硬貨を収納するときは、一時保留庫を金種別ホッパ上に移動させ、集積した硬貨を金種別ホッパに落下させて収納し、硬貨を返却するときは、一時保留庫を返却箱上に移動させ、集積した硬貨を返却箱に落下させて収納している（例えば、特許文献１参照。）。
【先行技術文献】
【特許文献】
【０００３】
【特許文献１】特開２０１２−２５２６０３号公報（段落００１０、００２４、００２５、第１図）
【発明の概要】
【発明が解決しようとする課題】
【０００４】
しかしながら、上述した従来の技術においては、図６に示すように、一時保留庫を金種別ホッパの方向または返却箱の方向に移動させて集積した硬貨を落下させるときに、硬貨が一時保留庫の内面に自重で押付けられ、これが支えとなってその上の硬貨が落下しなくなる現象（ブリッジバランスをいう。）が生じて硬貨が移動先の集積庫に落下しないことがあり、集積した硬貨の一部または全部が収納または返却できなくなって、硬貨の処理時に違算が生ずる場合があるという問題がある。
【０００５】
本発明は、上記の問題点を解決するためになされたもので、一時保留庫に集積した硬貨を全て、移動先の集積庫に落下させる手段を提供することを目的とする。
【課題を解決するための手段】
【０００６】
本発明は、上記課題を解決するために、硬貨処理装置が、投入された硬貨を１枚毎に送出する送出部と、前記送出部から送出された硬貨を鑑別する鑑別部と、前記鑑別部で鑑別された硬貨を集積する第１および第２の集積庫と、前記鑑別部と、前記第１および第２の集積庫との間に設けられ、前記第１または第２の集積庫へ集積する硬貨を一時保留すると共に、前記第１の集積庫上および前記第２の集積庫上に移動可能に構成された一時保留庫と、前記一時保留庫の硬貨を前記第１または第２の集積庫に落下させるときに、前記一時保留庫を当接させる当接部と、を備えたことを特徴とする。
【発明の効果】
【０００７】
これにより、本発明は、一時保留庫の硬貨を集積庫へ落下させるときにブリッジバランスが形成されたとしても、一時保留庫と当接部との当接による衝撃によりブリッジバランスが解消され、一時保留庫に一時保留されていた硬貨を、円滑に集積庫内に落下させて集積することができ、硬貨処理における違算の発生を防止することができるという効果が得られる。
【図面の簡単な説明】
【０００８】
【図１】実施例１の硬貨入出金機の構成を示す説明図
【図２】実施例１の一時保留部の構成を示す説明図
【図３】実施例１の一時保留部の作用を示す説明図
【図４】実施例２の一時保留部の構成を示す説明図
【図５】実施例１の一時保留部の作用を示す説明図
【図６】従来の一時保留庫におけるブリッジバランスを示す説明図
【発明を実施するための形態】
【０００９】
以下に、図面を参照して本発明による硬貨処理装置の実施例について説明する。
【実施例１】
【００１０】
以下に、図１ないし図３を用いて本実施例の硬貨入出金機について説明する。
本実施例の硬貨処理装置としての硬貨入出金機１は、スーパマーケット、量販店、ショッピングセンタ等の小売店舗や、郵便、新聞、荷物等の宅配業務拠点に設置され、釣銭準備金の出金や、売上金の入金、店員や配達員等の担当者毎の売上金の集計、現金の回収作業等を行う機能を有しており、図１に示す構成を備えている。
【００１１】
硬貨投入部２は、装置の上部に配置され、装置上面の正面側に開口する投入口２ａから、金種を混在させた硬貨Ｃが一括して投入される。
送出部３は、硬貨投入部２の下方に配置され、投入口２ａから一括投入された硬貨Ｃを受入れ、これを１枚毎に分離して送出口から鑑別部４の方向へ送出する。
【００１２】
鑑別部４は、送出部３から送出され搬送されてきた硬貨Ｃの真偽、正損、金種等の、硬貨Ｃに関する各種の鑑別を行う機能、鑑別した硬貨Ｃを金種別に計数する機能等を有している。
選別搬送路５は、鑑別部４による鑑別結果に応じて硬貨Ｃを金種毎に選別する搬送路であって、リジェクトゲート６、金種別の選別ゲート７が搬送経路に沿って配置されており、リジェクトゲート６の下方にはリジェクトシュート８が設けられ、各選別ゲート７の下方には、硬貨シュート９が金種別に設けられている。
【００１３】
リジェクト庫１０は、リジェクトシュート８の下方に配置され、鑑別部４で偽硬貨等と鑑別され、リジェクトゲート６により取込まれたリジェクト硬貨がリジェクトシュート８に導かれて集積される。
一時保留部１１は、各選別ゲート７の下方に配置された金種別の一時保留庫１２を有しており、その一時保留庫１２に、鑑別部４で鑑別された金種を基に開作動させた選別ゲート７により取込まれた真正硬貨（正貨という。）が、硬貨シュート９に導かれて集積される。
【００１４】
本実施例の一時保留庫１２は、保留ガイド板１３上に配置された、周囲４面を囲う矩形のフレーム内を金種別に６つに仕切って形成された底面がない枠状部材であって、比較的弾性変形し易い樹脂材料で形成されており、その底面は保留ガイド板１３により構成される。
【００１５】
また、一時保留庫１２は、図示しない一時保留庫移動モータにより、固定された保留ガイド板１３の上面に沿って図１等に示す矢印Ｓ方向（収納方向という。）、および矢印Ｈ方向（返却方向という。）に往復移動可能に構成されており、収納方向に移動した下方には、第１の集積庫としての金種別ホッパ１４が配置され、返却方向に移動した下方には、第２の集積庫としての返却箱１５が配置されている。
【００１６】
本実施例に一時保留部１１は、一時保留庫１２とその移動機構、および保留ガイド板１３等で構成される。
金種別ホッパ１４は、一時保留庫１２に金種別に集積された硬貨Ｃを確定後に、ホッパ基台１４ａ上に集積して収納する集積庫であって、各一時保留庫１２の底面開口部に対応する位置にそれぞれの金種別ホッパ１４が直線上に並べて配置されている。
【００１７】
また、各金種別ホッパ１４のホッパ基台１４ａには、集積された硬貨Ｃを整列させて１枚毎に繰出す繰出手段が設けられており、その繰出口の近傍には出金先を出金箱１６または回収一時保留庫１７の方向に切替える出金ゲート１８が設けられている。
【００１８】
返却箱１５は、上部に開口を有する箱状部材であって、一時保留庫１２に集積された硬貨Ｃを、返却等の際に金種に関わらず収納して担当者に返却するための収納庫であり、担当者が装置正面から装置外に引出すことが可能なように構成されている。
【００１９】
出金箱１６は、各金種別ホッパ１４の繰出口に対応する位置に、金種別に硬貨Ｃを収納する６つの収納トレイ１６ａが直線上に並べて設けられており、各収納トレイ１６ａは、それぞれ出金箱１６から個別に取出可能に構成されている。
【００２０】
また、出金箱１６は、担当者が装置正面から装置外に引出すことが可能なように構成されている。
回収一時保留部の回収一時保留庫１７は、周囲４面が囲われた底面がない矩形の枠状部材であって、その底面を構成する回収ガイド板１７ａ上に一時保留する回収硬貨が集積される。
【００２１】
また、回収一時保留庫１７は、図示しない回収一時保留庫移動モータにより、固定されたガイド板１７ａの上面に沿って図１に示す矢印Ｋ方向、Ｐ方向に往復移動可能に構成されており、Ｋ方向に移動した下方には回収庫１９が配置され、Ｐ方向に移動した下方には回収返却箱２０が配置されている。
【００２２】
回収庫１９は、装置内に収納された硬貨Ｃを回収する際に、各金種別ホッパ１４から繰出された硬貨Ｃを収納する集積庫であって、装置外に引出し可能に構成されており、引出す際にはその上蓋が施錠される。
【００２３】
回収返却箱２０は、上部に開口を有する箱状部材であって、回収一時保留庫１７に集積された硬貨Ｃを、金種に関わらず収納して担当者に引渡すための集積庫であり、担当者が装置外に引出すことが可能なように構成されている。
【００２４】
本実施例の一時保留部１１の一時保留庫１２は、図２に示すように、固定された保留ガイド板１３の上面に沿って、金種別ホッパ１４と返却箱１５との間に設定された入金硬貨を一時保留するための待機位置と、金種別ホッパ１４に一時保留した硬貨Ｃを収納するための収納位置との間、および待機位置と、返却箱１５に一時保留した硬貨Ｃを集積するための返却位置との間をそれぞれ往復移動するよう構成されている。
【００２５】
また、一時保留庫１２の移動方向の両側部には、それぞれ樹脂製の一時保留庫１２と一体に形成された突起２５ａ、２５ｂが設けられ、保留ガイド板１３の金種別ホッパ１４上の開口部１３ａを挟んだ待機位置の反対側には突起２５ａが当接する金属製の当接部２７ａが、保留ガイド板１３の返却箱１５上の開口部１３ｂを挟んだ待機位置の反対側には突起２５ｂが当接する金属製の当接部２７ｂが配置されている。
【００２６】
本実施例の保留ガイド板１３に設けられた開口部１３ａ、１３ｂは、各一時保留庫１２の底面開口を全て含む大きさに形成されており、各当接部２７は、例えば当接部２７ａは、一時保留庫１２が金種別ホッパ１４側へ移動し、その底面開口が金種別ホッパ１４上の開口部１３ａで全開となった直後に、突起２５ａが当接する位置に設けられている。返却箱１５側の当接部２７ｂも同様である。
【００２７】
以下に、本実施例の硬貨入出金機１による硬貨Ｃの搬送に係る処理動作について入金処理を例に説明する。
担当者が、投入口２ａに金種を混在させた硬貨Ｃを一括して投入すると、それらの硬貨Ｃは送出部３に集積される。
【００２８】
送出部３に集積された硬貨Ｃは、整列させた後に送出口から１枚毎に送出され鑑別部４に搬送される。
鑑別部４に搬送された硬貨Ｃは、鑑別部４で真偽、金種等が鑑別され金種別に計数された後に選別搬送路５に搬送され、リジェクト硬貨と鑑別された硬貨Ｃはリジェクトゲート６により取込まれ、リジェクトシュート８に導かれてリジェクト庫１０に集積される。
【００２９】
鑑別部４で正貨と鑑別された硬貨Ｃは、金種の鑑別結果に応じて当該金種を集積する一時保留庫１２に対応する選別ゲート７により取込まれ、硬貨シュート９に導かれて当該一時保留庫１２に落下し、保留ガイド板１３上に集積される。
【００３０】
そして、いずれかの一時保留庫１２の鑑別部４で計数した集積枚数が、予め設定された所定の枚数に達したとき、または送出部３で受入れた投入硬貨がなくなったときは、入金処理を一旦終了する。
入金処理を一旦終了した後は、図示しない表示部の表示画面に鑑別部４による計数結果に基づく金種別の金額や合計金額等を表示して担当者に確認させ、画面に表示されている操作ボタンにより一時保留された硬貨Ｃの収納の可否を選択させる。
【００３１】
この場合に、収納可の選択入力が行われると、図示しない一時保留庫移動モータにより一時保留庫１２を収納方向、つまり金種別ホッパ１４の方向に移動させ、保留ガイド板１３上に集積されている確定された各金種の硬貨Ｃを自由落下させて金種別ホッパ１４内に集積する。
【００３２】
また、収納不可、つまり収納取消の選択入力が行われると、一時保留庫移動モータにより一時保留庫１２を返却方向、つまり返却箱１５の方向に移動させ、保留ガイド板１３上に集積されている各金種の硬貨Ｃを自由落下させて返却箱１５内に集積する。
なお、返却硬貨を集積した返却箱１５は担当者により装置外に引出される。
【００３３】
本実施例では、上記した一時保留庫１２が２つの集積先へそれぞれ移動するとき、例えば、収納方向へ移動するときに、一時保留庫１２の移動方向の前面側には突起２５ａが設けられ、その移動方向の前方には当接部２７ａが設けられているので、図３に示すように、一時保留庫１２の底面開口が金種別ホッパ１４上で全開になった直後に、突起２５ａが当接部２７ａに当接して収納位置に停止する。
【００３４】
これにより、一時保留庫１２の収納方向への移動中において、徐々に開口する底面開口から硬貨Ｃを落下させているときにブリッジバランスが形成されていたとしても、当接部２７ａへの当接による衝撃によりブリッジバランスが解消され、一時保留庫１２に一時保留されていた硬貨Ｃを、円滑に金種別ホッパ１４内に落下させて集積することができる。返却方向へ移動するときも同様である。
このようにして、本実施例の硬貨入出金機１による入金処理が行われる。
【００３５】
なお、一旦終了した入金処理を継続する場合は、金種別ホッパ１４への硬貨Ｃの収納後に、新たな硬貨Ｃを投入口２ａに一括して再投入し、上記と同様にして入金処理を行う。
【００３６】
以上説明したように、本実施例では、金種別ホッパ１４上または返却箱１５上に移動して硬貨をいずれかの集積庫に集積する一時保留庫１２を備えた硬貨入出金機１において、一時保留庫１２の移動方向の両側部に突起２５を設けると共に、突起２５の移動方向のそれぞれの前方に当接部２７を設け、一時保留庫１２の底面開口が全開となった後に、突起２５を当接部２７に当接させるので、一時保留庫１２の硬貨Ｃを集積庫へ落下させるときにブリッジバランスが形成されたとしても、一時保留庫１２と当接部２７との当接による衝撃によりブリッジバランスが解消され、一時保留庫１２に一時保留されていた硬貨Ｃを、円滑に集積庫内に落下させて集積することができ、硬貨処理における違算の発生を防止することができる。
【実施例２】
【００３７】
以下に、図４および図５を用いて本実施例の一時保留部について説明する。なお上記実施例１と同様の部分は、同一の符号を付してその説明を省略する。
【００３８】
本実施例の一時保留部１１の一時保留庫１２は、図４に示すように、その移動方向の両側部に、それぞれ上記実施例１と同様に形成された突起２５ａ、２５ｂが設けられ、一時保留庫１２の底面はシャッタ３１により構成されている。
【００３９】
また、一時保留部１１には、返却箱１５上に返却位置と兼用する待機位置が設定され、金種別ホッパ１４上に収納位置が設定されており、一時保留庫１２は、固定された保留ガイド板３３の上の、待機位置と収納位置との間、および収納位置と待機位置（返却位置）との間をそれぞれ往復移動するよう構成されている。
【００４０】
保留ガイド板３３には、上記実施例１と同様に形成された開口部３３ａ、３３ｂが設けられ、保留ガイド板３３の金種別ホッパ１４上の開口部３３ａを挟んだ待機位置の反対側には突起２５ａが当接する当接部２７ａが、保留ガイド板３３の返却箱１５上の開口部３３ｂを挟んだ収納位置の反対側には突起２５ｂが当接する当接部２７ｂが設けられている。
【００４１】
シャッタ３１は、図示しないシャッタ駆動機構により往復移動可能に構成されたスライド式の遮蔽部材であって、保留ガイド板３３の上面に沿って、一時保留庫１２の移動方向に移動し、一時保留庫１２の底面開口を開閉する。
【００４２】
以下に、本実施例の硬貨入出金機１による硬貨Ｃの搬送に係る処理動作について入金処理を例に説明する。
担当者が、投入口２ａに金種を混在させた硬貨Ｃを一括して投入し、鑑別部４でリジェクト硬貨と鑑別された硬貨Ｃがリジェクト庫１０に集積されるまでの処理動作は、上記実施例１の場合と同様であるので、その説明を省略する。
【００４３】
鑑別部４で正貨と鑑別された硬貨Ｃは、金種の鑑別結果に応じて当該金種を集積する一時保留庫１２に対応する選別ゲート７により取込まれ、硬貨シュート９に導かれて当該一時保留庫１２に落下し、シャッタ３１上に集積される。
【００４４】
そして、いずれかの一時保留庫１２の鑑別部４で計数した集積枚数が、予め設定された所定の枚数に達したとき、または送出部３で受入れた投入硬貨がなくなったときは、入金処理を一旦終了する。
入金処理を一旦終了した後は、上記実施例１と同様にして、担当者に一時保留された硬貨Ｃの収納の可否を選択させる。
【００４５】
この場合に、収納可の選択入力が行われると、図５（ａ）に示すように、シャッタ３１を一時保留庫１２と共に収納方向、つまり金種別ホッパ１４の方向に移動させ、シャッタ３１を金種別ホッパ１４上の開口部３３ａの待機位置側の辺と同等の位置で停止させる。
【００４６】
シャッタ３１を停止させた後は、シャッタ３１を停止させたまま、一時保留庫１２を更に収納方向に移動させ、その底面開口が金種別ホッパ１４上で全開になった直後に、一時保留庫１２の収納方向への移動における前面側に設けられた突起２５ａを、その移動方向の前方に設けられた当接部２７ａに当接させて一時保留庫１２を収納位置に停止させ、シャッタ３１上に集積されていた、確定された各金種の硬貨Ｃを自由落下させて金種別ホッパ１４内に集積する。
【００４７】
これにより、シャッタ３１が停止した後の一時保留庫１２の収納方向への移動中において、徐々に開口する底面開口から硬貨Ｃを落下させているときにブリッジバランスが形成されていたとしても、当接部２７ａへの当接による衝撃によりブリッジバランスが解消され、一時保留庫１２に一時保留されていた硬貨Ｃを、円滑に金種別ホッパ１４内に落下させて集積することができる。
【００４８】
一方、収納不可、つまり収納取消の選択入力が行われると、図５（ｂ）に示すように、一時保留部１１を停止させたまま、シャッタ３１を収納方向、つまり金種別ホッパ１４の方向に移動させ、一時保留庫１２の底面開口が全開となったときに停止させる。
シャッタ３１を停止させた後は、シャッタ３１を停止させたまま、一時保留庫１２を一旦収納方向に移動させ、その後に返却位置（待機位置）の方向、つまり返却箱１５の方向に移動させる。
【００４９】
このとき、一時保留庫１２の返却方向への移動における前面側に設けられた突起２５ｂが、その移動方向の前方に設けられた当接部２７ｂに当接して一時保留庫１２が返却位置に停止し、シャッタ３１上に集積されていた各金種の硬貨Ｃを自由落下させて返却箱１５内に集積する。
【００５０】
これにより、返却箱１５上に停止した一時保留庫１２において、シャッタ３１の移動により徐々に開口する底面開口から硬貨Ｃを落下させているときにブリッジバランスが形成されたとしても、一時保留庫１２を一旦収納方向へ移動させた後の返却方向への移動時に、突起２５ｂと当接部２７ｂとの当接による衝撃によりブリッジバランスが解消され、一時保留庫１２に一時保留されていた硬貨Ｃを、円滑に返却箱１５内に落下させて集積することができる。
【００５１】
このようにして、本実施例の硬貨入出金機１による入金処理が行われる。一旦終了した入金処理を継続する場合は、上記実施例１と同様であるので、その説明を省略する。
【００５２】
以上説明したように、本実施例では、金種別ホッパ１４上または返却箱１５上に移動して硬貨をいずれかの集積庫に集積する一時保留庫１２を備えた硬貨入出金機１において、一時保留庫１２の移動方向の両側部に突起２５を設けると共に、突起２５の移動方向のそれぞれの前方に当接部２７を設け、一時保留庫１２の底面開口が全開となった後に、突起２５を当接部２７に当接させるので、一時保留庫１２の硬貨Ｃを集積庫へ落下させるときにブリッジバランスが形成されたとしても、一時保留庫１２と当接部２７との当接による衝撃によりブリッジバランスが解消され、一時保留庫１２に一時保留されていた硬貨Ｃを、円滑に集積庫内に落下させて集積することができ、硬貨処理における違算の発生を防止することができる。
【００５３】
また、一時保留庫１２にその底面開口を開閉するシャッタ３１を設けて、待機位置を返却箱１５上に設定したので、保留ガイド板３３の移動方向の長さを短縮することが可能になり、硬貨入出金機１の軽量化および小型化を図ることができる。
【００５４】
なお、本実施例では、一時保留庫１２を収納位置に移動させるときに、シャッタ３１を共に移動させて、開口部３３ａの待機位置側の辺で停止させるとして説明したが、シャッタ３１を待機位置で停止させたまま、一時保留庫１２のみを金種別ホッパ１４上に移動させるようにしてもよい。
【００５５】
また、本実施例では、待機位置を返却箱１５上に設定するとして説明したが、待機位置を金種別ホッパ１４上に収納位置と兼用で設定するようにしてもよい。このようにしても上記と同様の効果を得ることができる。
【００５６】
更に、本実施例では、集積庫は、２つ設けるとして説明したが、集積庫を一つとし、その上に本実施例のシャッタ３１を設けた一時保留庫１２を往復移動可能に設けると共にその両側に所定の隙間を介して当接部２７ａ、２７ｂを配置し、一時保留庫１２に一時保留されていた硬貨Ｃを集積庫に落下させるときに、シャッタ３１により底面開口を全開にした後に、一時保留庫１２をそれぞれ当接部２７ａおよび／もしくは２７ｂの方向に移動させ、突起２５を当接部２７に当接させてブリッジバランスを解消するようにしてもよい。
【００５７】
上記各実施例においては、一時保留庫１２は、弾性変形し易い樹脂材料で形成するとして説明したが、合成ゴム等のゴム部材で形成するようにしてもよい。このようにすれば、より効果的にブリッジバランスを解消することができる。
また、上記各実施例においては、一時保留庫１２に突起２５を設けるとして説明したが、一時保留庫１２に設ける突起２５を省略して、当接部２７に突起２５を設けるようにしてもよい。
【００５８】
更に、上記各実施例においては、返却箱１５は、上部に開口を有する箱状部材であるとして説明したが、出金箱１６と同様のトレイまたは仕切を設けて金種別に集積するようにしてもよい。
【００５９】
更に、上記各実施例においては、一時保留庫１２は、矩形のフレーム内を金種別に６つに仕切って形成した底面がない枠状部材であるとして説明したが、一時保留庫１２を上面および底面に開口を有する枠状部材とし、鑑別後の正貨を金種に関わらず集積するようにしてもよい。
【００６０】
更に、上記各実施例においては、本発明を入金時の一時保留部１２に適用するとして説明したが、回収時の回収一時保留部に適用するようにしてもよい。
【００６１】
更に、上記各実施例においては、金種別ホッパ１４から繰出された硬貨Ｃの出金先を、出金ゲート１８によって出金箱１６または回収一時保留庫１７の方向に切替えるとして説明したが、出金ゲート１８に替えて、一時保留部１１と同様の、出金時の一時保留部を設け、その一時保留庫の移動により、硬貨Ｃを出金箱１６または回収一時保留庫１７に落下させるようにしてもよい。
【００６２】
更に、上記各実施例においては、硬貨入出金機１は、スーパマーケット等の小売店舗や、郵便等の宅配業務拠点に設置するとしてとして説明したが、銀行等の金融機関のバックヤード等に設置してもよい。
【符号の説明】
【００６３】
１    硬貨入出金機
２    硬貨投入部
２ａ  投入口
３    送出部
４    鑑別部
５    選別搬送路
６    リジェクトゲート
７    選別ゲート
８    リジェクトシュート
９    硬貨シュート
１１  一時保留部
１２  一時保留庫
１３、３３  保留ガイド板
１３ａ、１３ｂ、３３ａ、３３ｂ  開口部
１４  金種別ホッパ
１４ａ  ホッパ基台
１５  返却箱
１６  出金箱
１６ａ  収納トレイ
１７  回収一時保留庫
１８  出金ゲート
１９  回収庫
２０  回収返却箱
２５、２５ａ、２５ｂ  突起
２７、２７ａ、２７ｂ  当接部
３１  シャッタ
【図１】
2017204111.tif 000003
【図２】
2017204111.tif 000004
【図３】
2017204111.tif 000005
【図４】
2017204111.tif 000006
【図５】
2017204111.tif 000007
【図６】
2017204111.tif 000008